(57)【特許請求の範囲】
【請求項１】
屋根部材の棟頂部に開口形成されている換気口と、この換気口の上方を覆う棟瓦と、その棟瓦の下方、且つ換気口の上方に位置して、換気口からの空気を棟瓦の側端に向かって換気可能な換気通路を有する棟瓦換気部とを備えた棟換気構造において、棟瓦を支える横部材に中央部材が支持されると共に屋根部材の上に載置固定された平瓦に接する端部下側部材と棟瓦に接する端部上側部材を備える棟瓦換気部を有し、この棟瓦換気部と前記換気口との間に、換気口の上方からの水の浸入を抑えるために換気口の上方を覆う換気口カバーを有し、この換気口カバーは、換気口の左右の屋根部材の表面から棟側にそれぞれ延びて換気口の一部を覆う一対の平板部材と、この一対の平板部材間の上方を覆うカバー本体部材とを備え、このカバー本体部材を棟瓦換気部の中央部材の下方に位置させ、前記平板部材は、その棟側には屋根部材の傾斜よりも棟側に向かって急勾配に上り傾斜となる傾斜面を備え、この平板部材の棟側端部には、棟瓦側に向かって折り返された折り返し部を備えてカバー本体部材の下方に位置し、換気口からの空気を両平板部材の間及び平板部材とカバー本体部材との間の長手方向に沿う側方から換気可能に形成されていることを特徴とする棟換気構造。
【請求項２】
平板部材の換気口に面する表面には、断熱部材が形成されていることを特徴とする請求項１記載の棟換気構造。
【発明の詳細な説明】
【０００１】
【発明の属する技術分野】
この発明は、棟換気構造、更に詳しくは、一般家屋における屋根裏の空間の換気を棟部分に開口させた換気口を介して行うものであって、この換気口から風雨による雨水等の浸入を抑えることができる棟換気構造に関するものである。
【０００２】
【先行技術】
一般家屋における内外の換気を図るため従来から各種の換気構造が提案されている。特に、屋根下の屋根裏空間におけるカビの発生防止、結露現象の解消、腐食防止、加熱防止等のために、湿気を含んだ空気や高温となった空気を屋外に速やかに排出できるようにした屋根裏の換気装置を、棟部分に設置した棟換気構造が提供されている。
【０００３】
これらの技術を、日本特許情報機構（ＪＡＰＩＯ）の先行技術調査（パトリス）の利用により、以下の検索式で昭和５５年以後の特許出願、実用新案登録出願を調査した。
検索式 ： Ｅ０４Ｄ １３／１６Ｅ
その結果、特許出願５０余件、実用新案登録出願８０余件を抽出した。その中で、実開平４−９２９２９号や、実開平４−９２９３０号等に記載された棟換気構造を説明する。これらは、特に図示しないが、共に、屋根部材の棟頂部に開口形成されている換気口と、この換気口の上方を覆う棟瓦と、その棟瓦の下方、且つ換気口の上方に位置して、換気口からの空気を棟瓦の側端に向かって換気可能な通路を有する棟瓦換気部とを備えているものである。この棟瓦換気部は、具体的には、棟瓦と換気口との間に挟み込まれた全体形状が略ハ字状の山形状に形成されている。そして、この棟瓦換気部は、棟瓦の側端から棟頂部に向かって換気通路が形成されており、その換気通路の途中には、風雨が直接、建物躯体の内部に入り込むことを抑えるために、空気の換気通路が直線状ではなく、ジグザグ状になるように複数の仕切りが設けられているものである。そして、換気通路は、換気口の上方の棟頂部にまで形成され、換気口と連通するように形成されている。
【０００４】
【発明が解決しようとする課題】
しかし、上記した従来の棟換気構造において、棟瓦換気部の換気通路は、換気口の上方に位置する棟頂部まで形成されているが、激しい横風をともなう風雨により棟瓦側端からの空気が吹き込まれると、換気通路の内部に入り込んだ雨水が、換気通路内を伝わって、棟頂部付近まで、雨水が吹き込まれる場合があった。かかる場合、換気口上方の棟頂部に入り込んだ雨水は、そのまま、下方に落下して換気口から建物躯体の内部に入り込んでしまい、防水性を保持することができないという第一の問題点があった。
【０００５】
また、換気口と棟瓦換気部との間の換気通路内であって、換気口の上面に、上方に向かって開口するとともに表裏に貫通するような多数の換気穴を有する換気口カバーを形成しても、その上方に向かって開口する換気穴から下方に向かって落下してきた雨水が直接、換気口の内部に入り込んでしまい、防水性を保持することができないという第二の問題点があった。
【０００６】
さらに、換気口を覆うような換気口カバーを形成すると、屋根裏からの暖かい水蒸気を多量に含んだ空気が、冷たい換気口カバーに衝突することにより、その建物躯体側の表面に結露が生じ、かかる水滴が建物躯体に落下し、防水性を保持することができないという第三の問題点があった。
そこで、請求項１記載の発明は、上記した従来の技術の有する第一および第二の問題点に鑑みてなされたものであり、その目的とするところは、強風により棟瓦換気部の換気通路の内部に吹き込まれた雨水が、棟頂部の換気口の上部にまで入り込んでも、換気口から建物躯体の内部に浸入することを抑えることができる棟換気構造を提供しようとするものである。
【０００７】
これに加え、更に請求項１記載の発明は、簡単な構造であって、換気口の上方の棟頂部にまで吹き込まれた雨水が、換気口から建物躯体の内部に浸入することを抑えることができる棟換気構造を提供しようとするものである。
【０００８】
又、これに加え、請求項１記載の発明は、平板部材の上面に水滴が付着しても、かかる水滴が換気口から建物躯体の内部に浸入することを抑えることができる棟換気構造を提供しようとするものである。
更にこれに加え、請求項１記載の発明は、平板部材の上面に水滴が付着しても、かかる水滴が平板部材の上面から換気口の裏面側に回り込むことを抑えることができる棟換気構造を提供しようとするものである。
そして、これに加え、請求項２記載の発明は、上記した従来の技術の有する第三の問題点に鑑みてなされたものであり、その目的とするところは、換気口の上方において、結露の発生を抑えることができる棟換気構造を提供しようとするものである。
【０００９】
なお、上記の課題を解決する技術を、前述した日本特許情報機構（ＪＡＰＩＯ）の先行技術調査（パトリス）の利用により、調査した結果、この先行技術調査によっては、本願発明と同一の技術は発見できなかった。
【００１０】
【課題を解決するための手段】
本発明は、上記した目的を達成するためのものである。
請求項１記載の発明は、屋根部材(20)の棟頂部に開口形成されている換気口(10)と、この換気口(10)の上方を覆う棟瓦(30)と、その棟瓦(30)の下方、且つ換気口(10)の上方に位置して、換気口(10)からの空気を棟瓦(30)の側端に向かって換気可能な換気通路(47)を有する棟瓦換気部(40)とを備えた棟換気構造において、棟瓦（30）を支える横部材（81）に中央部材（41）が支持されると共に屋根部材（20）の上に載置固定された平瓦（31）に接する端部下側部材（42）と棟瓦（30）に接する端部上側部材（43）を備える棟瓦換気部(40)を有し、この棟瓦換気部(40)と換気口(10)との間に、換気口(10)の上方からの水の浸入を抑えるために換気口(10)の上方を覆う換気口カバー(50)を形成したことを特徴とする。
【００１１】
なお、ここで、「換気口カバー(50)」とは、換気口(10)と棟瓦換気部(40)との間は連通した状態であって、換気口(10)から棟瓦換気部(40)に向かって換気可能に形成されているが、換気口(10)の上方から落下してきた水滴が換気口(10)の内部に入り込まないように換気口(10)の上方を覆うようなものであれば良いものである。例えば、換気口(10)の上方に平板状や、半円筒状の長尺部材により覆って、その下面側に空気が行き来可能な連通口を有するもの等を含むものである。したがって、「換気口カバー(50)」は、平板状や、半円筒状であるが、その表面に多数の上方に向かって開口する表裏に貫通する穴を有するようなものは含まれないものである。
【００１２】
本発明は、棟瓦換気部(40)と換気口(10)との間に、換気口(10)の上方からの水の浸入を抑えるために換気口(10)の上方を覆う換気口カバー(50)を形成している。このため、激しい風雨により棟瓦(30)の側端から雨水を伴う空気が棟瓦換気部(40)の内部に吹き込まれて、換気通路(47)の内部に雨水が入り込んで、風雨とともに換気口(10)の上方の棟頂部付近から換気口(10)に向かって下方に落下してきても、雨水は、この換気口(10)の上方を覆う換気口カバー(50)に付着してしまう。これにより、棟瓦換気部(40)の内部に入り込んだ雨水が、直接、換気口(10)の内部に入り込むことを抑えることができ、建物躯体への防水性を保持することができる。
【００１３】
そして請求項１記載の発明は、更に前記換気口カバー(50)は、換気口(10)の左右の屋根部材(20)の表面から棟側にそれぞれ延びて換気口(10)の一部を覆う一対の平板部材(60)と、この一対の平板部材(60)間の上方を覆うカバー本体部材(70)とを備え、このカバー本体部材（70）を棟瓦換気部（40）の中央部材（41）の下方に位置させ、換気口(10)からの空気を一対の平板部材(60)の間及び平板部材(60)とカバー本体部材(70)との間の長手方向に沿う側方から換気可能に形成されていることを特徴とする。
【００１４】
なお、ここで、「カバー本体部材(70)」は、一対の平板部材(60)間の上方を覆い、上方から水滴等が直接、換気口(10)の内部に入り込まないように形成されるとともに、カバー本体部材(70)と平板部材(60)との間の長手方向に沿う側方から換気可能に形成されているものであれば良いものである。したがって、「カバー本体部材(70)」の縦断面形状は、平板部材(60)との間に隙間を形成するとともに、一対の平板部材(60)の間を覆って上方に向かって突出するようなもの、または平板状のもの等であれば良く、例えば、断面コ字状、断面山形状、断面半円状または断面台形状等の形状のものが含まれる。
【００１５】
本発明は、換気口カバー(50)が、換気口(10)の左右の屋根部材(20)の表面から棟側にそれぞれ延びて換気口(10)の一部を覆う一対の平板部材(60)と、この一対の平板部材(60)間の上方を覆うカバー本体部材(70)とから形成されている。このため、激しい風雨により棟瓦換気部(40)の内部にまで、雨水を伴う空気が入り込んで、風雨とともに換気口(10)の上方の棟頂部付近から換気口(10)に向かって下方に落下してきても、雨水は、この平板部材(60)か、または、この一対の平板部材(60)間の上方に形成されたカバー本体部材(70)の上面に付着する。これにより、棟瓦換気部(40)の内部に入り込んだ雨水が、直接、換気口(10)を介して、建物躯体(83)の内部に入り込むことを抑えることができ、建物躯体(83)の防水性を保持することができる。
【００１６】
また、屋根裏の空気を換気する場合には、先ず、換気口(10)からの空気が一対の平板部材(60)の間からカバー本体部材(70)側に向かって進む。その後、換気口カバー(50)の長手方向に沿う側方であって、平板部材(60)とカバー本体部材(70)との間の隙間から換気口(10)からの空気が排出される。そして、排出された空気は、棟瓦換気部(40)の換気通路(47)を通って、棟瓦(30)の側端から外部に排出される。これにより、防水性を担保した状態で、屋根裏の空気を換気口(10)を介して外部に換気することができる。
【００１７】
又、請求項１記載の発明は、上記した請求項１記載の特徴点に加え、平板部材(60)は、その棟側に位置して屋根部材(20)の傾斜よりも棟側に向かって急勾配に上り傾斜となる傾斜面(62)を備えたことを特徴とする。本発明において、平板部材(60)は、その棟側に位置して屋根部材(20)の傾斜よりも棟側に向かって急勾配に上り傾斜となる傾斜面(62)を備えている。このため、激しい風雨により棟瓦換気部(40)の内部の換気通路(47)を通って入り込んだ水滴等が、平板部材(60)の上面に、落下してきて付着しても、棟側に向かって急勾配に上り傾斜となっている傾斜面(62)を上ることはなく、換気口(10)とは反対側の軒側に向かって流れ落ちることとなる。これにより、平板部材(60)の表面に付着した水滴が、換気口(10)から建物躯体(83)の内部に入り込むことを抑えることができ、建物躯体(83)の防水性を保持することができる。
【００１８】
そして請求項１記載の発明は、上記した請求項１記載の特徴点に加え、平板部材(60)の棟側の先端には、棟瓦(30)側に向かって折り返された折り返し部(63)を備えたことを特徴とする。
本発明は、平板部材(60)の棟側の先端には、棟瓦(30)側に向かって折り返された折り返し部(63)を備えている。このため、激しい風雨により棟瓦換気部(40)の内部の換気通路(47)を通って入り込んだ水滴が、平板部材(60)の上面に、落下してきて付着し、更に、強風等により、傾斜面(62)を上方に向かって伝わってきても、この折り返し部(63)の先端により、再度、平板部材(60)の表面に落下させることができる。これにより、平板部材(60)の表面を伝わる水滴が、換気口(10)の内部に入り込むことを抑えることができ、建物躯体(83)の防水性を保持することができる。
【００１９】
請求項２記載の発明は、上記した請求項１記載の特徴点に加え、平板部材(60)の換気口(10)に面する表面には、断熱部材(61)が形成されていることを特徴とする。
なお、ここで、「断熱部材(61)」とは、建物外部の気温と同程度の状態で、水蒸気を多量に含んだ暖かい空気が直接、衝突しても、表面に結露が生じないような低い熱伝導率を有する材質のものであれば良いものである。例えば、発泡スチロールや、種々のセラミック材や、薄板木片や、樹脂や、ロックウールや、石綿等を含むものである。
【００２０】
本発明は、平板部材(60)の換気口(10)に面する表面には、断熱部材(61)が形成されている。このため、屋根裏の水蒸気を多量に含んだ暖かい空気が、換気口(10)を介して、外部の気温に近い温度となる平板部材(60)に直接、衝突しない。これにより、平板部材(60)の換気口(10)に面する表面に結露が発生することを抑えることができ、この結露による水滴が換気口(10)に落下したり、建物躯体(83)の内部に浸入することを抑えることができ、建物躯体(83)の防水性を担保することができる。
【００２１】
【発明の実施の形態】
以下、本発明の実施の形態を図面に基づいて、更に詳しく説明する。
図１乃至図４は、本発明の実施の形態を示すものであり、図１は棟換気構造の縦断面図、図２は棟瓦換気部の縦断面図、図３は換気口カバーの外観斜視図、図４は平板部材の縦断面図をそれぞれ示す。
【００２２】
まず、本実施の形態の構成について説明する。
本実施の形態に係る棟換気構造は、屋根部材20の棟頂部に開口形成されている換気口10と、この換気口10の上方を覆う棟瓦30と、その棟瓦30の下方、且つ換気口10の上方に位置して、換気口10からの空気を棟瓦30の側端に向かって換気可能な換気通路47を有する全体形状が略山形状の棟瓦換気部40とを備えている。
【００２３】
前記屋根部材20は、木質からなり表面に防水合板を有する屋根パネル80から形成されている。この屋根パネル80の棟側の合わせ目に相当する部分に、隙間が形成され、屋根裏の空気を換気するための換気口10として使用されている。そして、屋根部材20の表面の防水合板の表面には、特に図示しないが、屋根耐水シートが全面に渡って貼付されている。そして、その表面には、特に図示しないが木質の長尺材からなる瓦桟21が多数、形成され、その瓦桟21の上には平瓦31が載置されて固定されている。そして、換気口10の上方に位置して、棟側の左右の平瓦31の間には、縦断面形状が方形状で木質からなる長尺状の横部材81が形成されており、この横部材81は、その下面を支持する金物からなる横部材支持具82により建物躯体83に固定されている。
【００２４】
前記棟瓦30は、全体形状が略山型状であって、棟の頂部の最上部に位置して、左右の平瓦31に渡されて棟頂部を覆うように形成されている。そして、この棟瓦30の側端と平瓦31の表面との間に隙間が形成されており、この隙間から換気口10の空気が外部に換気できるように形成されているものである。
前記棟瓦換気部40は、上方に向かって台形状に突出する長尺状の塩ビ鋼板からなる中央部材41と、この中央部材41の長手方向に沿う両側端に位置する長尺状の塩ビ鋼板からなる端部上側部材43と、この端部上側部材43の端部に係合するとともに端部上側部材43の下側に位置する長尺状の塩ビ鋼板からなる端部下側部材42とを備えている。そして、これらの中央部材41、端部上側部材43及び端部下側部材42は、それらの間に挟み込まれるとともに長手方向の途中に所定間隔で配置されたステンレス製の短尺状の複数個の固定具45により一体となって結合して、棟瓦換気部40として形成されているものである。なお、特に図示していないが、固定具45と、中央部材41、端部下側部材42及び端部上側部材43との固定は、アルミニウムからなるリベットにより固定されているものである。そして、中央部材41の側端と、端部上側部材43との間には、隙間を開けて棟瓦換気部40の上面側に向かって開口する上面端部側開口部44を形成している。また、中央部材41の側端の下面側と、端部下側部材42の換気口10側の端部との間には、隙間を開けて棟瓦換気部40の下面側に開口する下面側開口部46を形成している。そして、この下面側開口部46と上面端部側開口部44との間は、連通しており、その内部を空気が移動可能な換気通路47を形成している。
【００２５】
また、端部下側部材42の下面には、弾性変形可能なスポンジ状の発泡体からなる防水部材48が棟の長手方向に沿って形成されている。この防水部材48は、平瓦31の上面に凹凸が形成されているような場合においても、平瓦31の上面と端部下側部材42の下面との間に隙間が形成されないように平瓦31と端部下側部材42との密着性を向上させるために形成されているものである。
【００２６】
さらに、端部下側部材42の軒側端部には、所定の間隔で長手方向に沿って配置された表裏に貫通する水抜き穴49が形成されている。これは、中央部材41や、端部上側部材43や端部下側部材42の表面に結露等により形成された水滴が、この水抜き穴49を通って平瓦31の上面に落下して、棟瓦換気部40の内部に水滴が溜まらないように形成されているものである。
【００２７】
前記棟瓦換気部40と換気口10との間には、換気口10の上方からの水の浸入を抑えるために換気口10の上方を覆う換気口カバー50が形成されている。
この換気口カバー50は、具体的には、換気口10の左右の屋根部材20の表面から棟側にそれぞれ延びて換気口10の一部を覆う一対の平板部材60と、この一対の平板部材60間の上方を覆うとともに横部材81の下面に位置するカバー本体部材70とを備えている。そして、この換気口カバー50は、換気口10からの空気を平板部材60とカバー本体部材70との間の長手方向に沿う側方から換気可能に形成されている。
【００２８】
前記平板部材60の換気口10に面する表面には、長尺薄板状の発泡スチロールからなる断熱部材61が形成されている。そして、平板部材60は、その棟側に位置して屋根部材20の傾斜よりも棟側に向かって急勾配に上り傾斜となる傾斜面62と、この傾斜面62の棟側の先端側に位置して、棟瓦30側に向かって折り返された折り返し部63とを備えている。
【００２９】
次に、上記した実施の形態の作用及び効果について説明する。
本実施の形態は、棟瓦換気部40と換気口10との間に、換気口10の上方からの水の浸入を抑えるために換気口10の上方を覆う換気口カバー50を形成している。このため、激しい風雨により棟瓦30の側端から雨水を伴う空気が棟瓦換気部40の内部に吹き込まれて、換気通路47の内部に雨水が入り込んで、風雨とともに換気口10の上方の棟頂部付近から換気口10に向かって下方に落下してきても、雨水は、この換気口10の上方を覆う換気口カバー50に付着してしまう。
【００３０】
すなわち、更に具体的に説明すると、激しい風雨により棟瓦換気部40の内部にまで、雨水を伴う空気が入り込んで、風雨とともに換気口10の上方の棟頂部付近から換気口10に向かって下方に落下してきても、雨水は、この平板部材60か、または、この一対の平板部材60間の上方に形成されたカバー本体部材70の上面に付着する。そして、平板部材60の上面に付着した水滴は、屋根部材20の傾斜に沿って軒側に向かって流れ落ちる。また、カバー本体部材70の上面に付着した水滴は、そのまま蒸発するか、或いは、カバー本体部材70の両端から下方に落下して、平板部材60の上面に落下し、同様に、平板部材60の上面を軒側に向かって流れ落ちる。これにより、棟瓦換気部40の内部に入り込んだ雨水が、直接、換気口10を介して、建物躯体83の内部に入り込むことを抑えることができ、建物躯体83の防水性を保持することができる。
【００３１】
また、換気口カバー50は、屋根裏の空気を換気する場合には、換気口10からの空気が一対の平板部材60の間からカバー本体部材70側に向かって進み、その後、換気口カバー50の長手方向に沿う側方であって、平板部材60とカバー本体部材70との間から換気口10からの空気を排出することができる。そして、排出された空気は、棟瓦換気部40の換気通路47を通って、棟瓦30の側端から外部に排出される。これにより、防水性を担保した状態で、屋根裏の空気を換気口10を介して外部に換気することができる。
【００３２】
また、本実施の形態において、平板部材60の換気口10に面する表面には、断熱部材61が形成されている。このため、屋根裏の水蒸気を多量に含んだ暖かい空気が、換気口10を介して、外部の気温に近い温度となる平板部材60に直接、衝突しない。これにより、平板部材60の換気口10に面する表面に結露が発生することを抑えることができ、この結露による水滴が換気口10に落下したり、建物躯体83の内部に浸入することを抑えることができ、建物躯体83の防水性を担保することができる。
【００３３】
さらに、本実施の形態において、平板部材60は、その棟側に位置して屋根部材20の傾斜よりも棟側に向かって急勾配に上り傾斜となる傾斜面62を備えている。このため、激しい風雨により棟瓦換気部40の内部の換気通路47を通って入り込んだ水滴等が、平板部材60の上面に、落下してきて付着しても、棟側に向かって急勾配に上り傾斜となっている傾斜面62を上ることはなく、換気口10とは反対側の軒側に向かって流れ落ちることとなる。これにより、平板部材60の表面に付着した水滴が、換気口10から建物躯体83の内部に入り込むことを抑えることができ、建物躯体83の防水性を保持することができる。
【００３４】
そして、これに加えて、平板部材60の棟側の先端には、棟瓦30側に向かって折り返された折り返し部63を備えている。このため、激しい風雨により棟瓦換気部40の内部の換気通路47を通って入り込んだ水滴が、平板部材60の上面に、落下してきて付着し、更に、強風等により、傾斜面62を上方に向かって伝わってきても、この折り返し部63の先端により、再度、平板部材60の表面に落下させることができる。これにより、平板部材60の表面を伝わる水滴が、換気口10の内部に入り込むことを抑えることができ、建物躯体83の防水性を保持することができる。
【００３５】
そして、本実施の形態に係る棟瓦換気部40の端部下側部材42の下面には、弾性スポンジ状の発泡体からなる防水部材48が形成されている。このため、平瓦31の上面に凹凸が形成されていても、端部下側部材42の下面と平瓦31の上面との間を隙間なく密着させることができる。これにより、棟瓦換気部40の下面と平瓦31の上面との間から建物躯体83の内部に雨水が入り込むことを抑えることができ、建物躯体83の防水性を担保することができる。
【００３６】
さらに、棟瓦換気部40の端部下側部材42の側端には、表裏に貫通する水抜き穴49が形成されているため、端部下側部材42や端部上側部材43等の表面に結露による水滴が付着しても、この水抜き穴49から平瓦31の上面に落下させることができる。これにより、かかる結露による水滴が棟瓦換気部40の内部に溜まることを抑えることができ、建物躯体83の防水性を担保することができる。
【００３７】
【発明の効果】
本発明は、以上のように構成されているので、以下に記載されるような効果を奏する。
請求項１記載の発明によれば、強風により棟瓦換気部の換気通路の内部に吹き込まれた雨水が、棟頂部の換気口の上部にまで入り込んでも、換気口から建物躯体の内部に浸入することを抑えることができる棟換気構造を提供することができる。
【００３８】
そして請求項１記載の発明によれば、簡単な構造であって、換気口の上方の棟頂部にまで吹き込まれた雨水が、換気口から建物躯体の内部に浸入することを抑えることができる棟換気構造を提供することができる。
【００３９】
又、請求項１記載の発明によれば、平板部材の上面に水滴が付着しても、かかる水滴が換気口から建物躯体の内部に浸入することを抑えることができる棟換気構造を提供することができる。
更に請求項１記載の発明によれば、平板部材の上面に水滴が付着しても、かかる水滴が平板部材の上面から換気口の裏面側に回り込むことを抑えることができる棟換気構造を提供することができる。
そして、請求項２記載の発明によれば、換気口の上方において、結露の発生を抑えることができる棟換気構造を提供することができる。
【図面の簡単な説明】
【図１】  本発明の実施の形態であって、棟換気構造を示す縦断面図である。
【図２】  本発明の実施の形態であって、棟瓦換気部を示す縦断面図である。
【図３】  本発明の実施の形態であって、換気口カバーを示す外観斜視図である。
【図４】  本発明の実施の形態であって、平板部材を示す縦断面図である。
【符号の説明】
10  換気口                        20  屋根部材
21  瓦桟                          30  棟瓦
31  平瓦                          40  棟瓦換気部
41  中央部材                      42  端部下側部材
43  端部上側部材                  44  上面端部側開口部
45  固定具                        46  下面側開口部
47  換気通路                      48  防水部材
49  水抜き穴                      50  換気口カバー
60  平板部材                      61  断熱部材
62  傾斜面                        63  折り返し部
70  カバー本体部材                80  屋根パネル
81  横部材                        82  横部材支持具
83  建物躯体
【図１】
0003907798.tif 000002
【図２】
0003907798.tif 000003
【図３】
0003907798.tif 000004
【図４】
0003907798.tif 000005